(57)【要約】【課題】棟開口部分に止まることなく、屋根面の広範囲に渡って瓦と野地板との間の空間部における掃気を可能にし、且つ、輻射熱に対処し、以て上記従来の小屋裏換気と相俟って、住宅の耐久性向上、及び、室内の温熱環境並びに涼しさの確保に寄与し得る小屋裏換気装置及びこれを用いた瓦屋根構造を提供することを課題とする。【解決手段】排気筒１８と通気装置２とから成り、前記排気筒１８は、小屋裏内の空気を排出するために棟頂部に形成された棟開口を覆うように設置可能にされ、前記通気装置２は、前記排気筒１８上に位置する棟桟木４とその上に載置される棟瓦１との間に一対の通気部材６を山形に配置して構成され、前記通気部材６は、棟から軒に向かう方向に通気可能であることを特徴とする小屋裏換気装置を用いる。【選択図】図１
2006348525.tif 000002
【特許請求の範囲】
【請求項１】
排気筒と通気装置とから成り、前記排気筒は、小屋裏内の空気を排出するために棟頂部に形成された棟開口を覆うように設置可能にされ、前記通気装置は、前記排気筒上に位置する棟桟木とその上に載置される棟瓦との間に一対の通気部材を山形に配置して構成され、前記通気部材は、棟から軒に向かう方向に通気可能であることを特徴とする小屋裏換気装置。
【請求項２】
前記排気筒は、垂直壁とその下端に連設される傾斜壁とから成る筒壁構成板を前記垂直壁間にスペーサを介在させて対設し、その上に断面コ字形状の蓋カバーを被せて成り、前記スペーサは前記垂直壁よりも上方に突出するようにすることにより、前記蓋カバーが前記スペーサの上面に当接して支持されるようにしたものである請求項１に記載の小屋裏換気装置。
【請求項３】
前記排気筒は、垂直壁とその下端に連設される傾斜壁とから成る筒壁構成板を前記垂直壁間にスペーサを介在させて対設し、その上に断面コ字形状の蓋カバーを被せて成り、前記蓋カバーの垂直部下端を内方水平方向に延長して水平延長板を形成し、前記水平延長板を前記垂直壁の上端部に連結し、前記水平延長板に通気スリットを形成したものである請求項１に記載の小屋裏換気装置。
【請求項４】
前記棟桟木上の通気装置の通気部材の下側に、防水用パッキンを設置した請求項１乃至３のいずれかに記載の小屋裏換気装置。
【請求項５】
前記棟桟木上に設置される通気装置は、プラスチック製又は金属製の上面板と下面板で通気部材を挟持して成る通気ユニットを一対対称的に配置して構成され、前記下面板の内方側には、前記通気部材の内方側に形成される傾斜開口面に対応し且つ前記傾斜面から距離を置いて若干立上げられて水切りが形成される請求項１に記載の小屋裏換気装置。
【請求項６】
前記棟桟木上に設置される通気装置は、プラスチック製又は金属製の上面板と下面板で通気部材を挟持して成る通気ユニットを一対対称的に配置して構成され、前記下面板は内方側に延長されて、前記通気部材の内方側に形成される傾斜面に対応し且つ前記傾斜面から距離を置く傾斜面とされ、前記下面板の傾斜面の上部には通気窓が形成されると共にその上端が前記上面板の裏面に固定される請求項１に記載の小屋裏換気装置。
【請求項７】
瓦と野地板間に掃気可能空間を設け、当該空間における掃気と共に棟開口を介しての小屋裏換気を可能にした屋根構造であって、前記小屋裏換気のために請求項１乃至６のいずれかに記載の小屋裏換気装置を用いることを特徴とする瓦屋根構造。
【請求項８】
瓦を受ける瓦桟は、鼻桟も含めて棟・軒先方向に通気可能な通気瓦桟である請求項７に記載の瓦屋根構造。
【請求項９】
前記野地板上に、遮熱・透湿・防水シートが敷設される請求項７に記載の瓦屋根構造。
【請求項１０】
前記野地板に１又は複数の開口を設け、前記開口を覆うように補助換気装置が設置される請求項７に記載の瓦屋根構造。
【請求項１１】
前記補助換気装置は、棟側側面が開口されたカバー内に通気部材を、その通気方向を前記棟側開口側面に向け、且つ、前記開口上に通気空間を保持して設置したものである請求項１０に記載の瓦屋根構造。
【発明の詳細な説明】
【技術分野】
【０００１】
本発明は小屋裏換気装置及びこれを用いた瓦屋根構造、より詳細には、棟部並びに瓦と野地板との間の空間における掃気性及び防水性にすぐれていて、小屋裏及び瓦と野地板との間の空間における満足のいく換気を実現し、以て住宅の耐久性を向上させると共に、室内の温熱環境並びに涼しさを確保し得る小屋裏換気装置及びこれを用いた瓦屋根構造に関するものである。
【背景技術】
【０００２】
殊に夏場において、室内の温熱環境並びに涼しさを確保するためには、室内はもとより、小屋裏の換気が極めて重要となるところから、小屋裏換気を企図した種々の構成が提案されている。その多くは、単に、小屋裏の内外に通じる棟開口を塞ぐように、山形の通気材を被せるものであって、それらは棟部以外の屋根面における掃気、例えば、瓦の下側と野地板の間の掃気にまで配慮したものではない。
【０００３】
【特許文献１】特許第２６８３１０９号
【特許文献２】特許第２６３２４５８号
【発明の開示】
【発明が解決しようとする課題】
【０００４】
上記従来の小屋裏換気の場合は、単に棟開口を介して小屋裏の換気を行うに過ぎないものであって、太陽からの輻射熱に対処しておらず、且つ、桟瓦等の屋根材と野地板間の熱気の排熱に対応したものではないため、上記室内の温熱環境並びに涼しさを確保するのに十分なものとはいえない。また、瓦と野地板間の掃気について配慮されていないため、瓦、野地板その他屋根周辺材の耐久性の確保が十分ではなかった。
【０００５】
そこで本発明は、棟開口部分に止まることなく、屋根面の広範囲に渡って瓦と野地板との間の空間部における掃気を可能にし、且つ、輻射熱に対処し、以て上記従来の小屋裏換気と相俟って、住宅の耐久性向上、及び、室内の温熱環境並びに涼しさの確保に寄与し得る小屋裏換気装置及びこれを用いた瓦屋根構造を提供することを課題とする。
【課題を解決するための手段】
【０００６】
上記課題を解決するための請求項１に記載の発明は、排気筒と通気装置とから成り、前記排気筒は、小屋裏内の空気を排出するために棟頂部に形成された棟開口を覆うように設置可能にされ、前記通気装置は、前記排気筒上に位置する棟桟木とその上に載置される棟瓦との間に一対の通気部材を山形に配置して構成され、前記通気部材は、棟から軒に向かう方向に通気可能であることを特徴とする小屋裏換気装置である。
【０００７】
前記排気筒は、垂直壁とその下端に連設される傾斜壁とから成る筒壁構成板を前記垂直壁間にスペーサを介在させて対設し、その上に断面コ字形状の蓋カバーを被せて成り、前記スペーサは前記垂直壁よりも上方に突出するようにすることにより、前記蓋カバーが前記スペーサの上面に当接して支持されるようにしたものである。
【０００８】
あるいは、前記排気筒は、垂直壁とその下端に連設される傾斜壁とから成る筒壁構成板を前記垂直壁間にスペーサを介在させて対設し、その上に断面コ字形状の蓋カバーを被せて成り、前記蓋カバーの垂直部下端を内方水平方向に延長して水平延長板を形成し、前記水平延長板を前記垂直壁の上端部に連結し、前記水平延長板に通気スリットを形成したものである。
【０００９】
また、前記棟桟木上に設置される通気装置は、プラスチック製又は金属製の上面板と下面板で通気部材を挟持して成る通気ユニットを一対対称的に配置して構成され、前記下面板の内方側には、前記通気部材の内方側に形成される傾斜面に対応し且つ前記傾斜面から距離を置いて若干立上げられて水切りが形成される。
【００１０】
あるいは、前記下面板は内方側に延長されて、前記傾斜面に対応し且つ前記傾斜面から距離を置く傾斜面とされ、前記下面板の傾斜面の上部には通気窓が形成されると共に、その上端が前記上面板の裏面に固定される。
【００１１】
上記課題を解決するための請求項７に記載の発明は、瓦と野地板間に掃気可能空間を設け、当該空間における掃気と共に棟開口を介しての小屋裏換気を可能にした屋根構造であって、前記小屋裏換気のために請求項１乃至６のいずれかに記載の小屋裏換気装置を用いることを特徴とする瓦屋根構造である。
【００１２】
瓦を受ける瓦桟は、鼻桟も含め、棟・軒先方向に通気可能な通気瓦桟であることが好ましい。
【００１３】
また、好ましくは、前記野地板上に、遮熱・透湿・防水シートが敷設される。この遮熱・透湿・防水シートは、遮熱性、透湿性及び防水性を併せ有するシートで、瓦と野地板間に掃気可能空間を設けることに伴って特に意味を持つ。即ち、当該空間における輻射熱の伝達を阻止し、湿気を放出して野地板の耐久性を保持し、また、水分の浸入を防止する。
【００１４】
更に、寄せ棟屋根のように、棟に十分な開口を設けることができないような場合には、前記野地板に１又は複数の開口を設け、前記開口を覆うように補助換気装置が設置される。前記補助換気装置は、棟側側面が開口されたカバー内に通気部材を、その通気方向を前記棟側開口側面に向け、且つ、前記開口上に通気空間を保持して設置したものとされる。
【発明の効果】
【００１５】
本発明に係る瓦屋根構造によれば、棟開口部分に止まることなく、屋根面の広範囲に渡って瓦の下側空間における掃気が可能であり、また、輻射熱を防ぐ効果があるので、小屋裏換気と相俟って、室内の温熱環境並びに涼しさを確保し得る効果があり、また、瓦と野地板間の空間における掃気が常時可能であるため、住宅の耐久性を向上させ得る効果がある。
【００１６】
また、本発明に係る小屋裏換気装置を用いれば、上記作用効果を有する瓦屋根構造を容易に構築し得る効果がある。
【発明を実施するための最良の形態】
【００１７】
本発明を実施するための最良の形態につき、添付図面を参照しつつ説明する。図１は本発明に係る瓦屋根構造の構成例を示すものである。そこにおいては、通気装置２と排気筒１８とから成る本発明に係る小屋裏換気装置が用いられる。
【００１８】
図１において符号１は、棟に沿った傾斜を有する棟瓦を示し、棟瓦１の端部は折曲されて下方に延び、その下に通気装置２が配置される。例えば、通気装置２は、ピン等によって棟桟木４の上面に固定し、必要に応じて防水テープを貼った後、その上に棟瓦１を被せ、スクリュー釘３等によって、棟瓦１を棟桟木４上に固定する。
【００１９】
図２乃至図５は通気装置２の構成例を示すもので、それは、例えばプラスチック製又は金属製の上面板５に通気部材６を固定して成る通気ユニット７を、一対組み合わせて構成される。上面板５には、棟瓦１の傾斜に合わせて湾折曲容易にするために、長さ方向に延びる半切加工部８を設けておくことが好ましい（図３参照）。
【００２０】
通気部材６としては、多数の通気路９を並設したプラスチックプレート１０を複数枚積層し、ヒートカッターで所望サイズに切断すると共に、該切断面を熱融着固定して構成される公知のもの（特許第２６８３１０９号）、を用いることができる（図６（Ａ））。通例、通気部材６の内側開口面は、屋内側からの空気がスムーズに流れ込むように、図示したような傾斜面６ａとされる（図３、図６（Ａ）参照）。
【００２１】
図２乃至図５に示す通気ユニット７においては、通気部材６の下面に、通気部材６よりも先に延びる下面板１１が定着されている。下面板１１の通気部材６より先に延びる部分は、傾斜面６ａから距離を置いて傾斜面６ａに対応する傾斜に折曲された傾斜面１１ａとされ、更に、その端部が上面板５に沿って折曲されて上面板５に固定される（図３（Ａ）参照）。そして、下面板１１の傾斜面１１ａの上端部に、１連の又は分割された横長の通気窓１１ｂが形成される（図３（Ａ）、図４参照）。
【００２２】
上記傾斜面１１ａを上面板５にまで至らせることなく、その３分の１程度を立上らせるに止め、その立上り部を水切り１１ｃとすることもできる（図３（Ｂ））。この場合は、当該立上り部１１ｃと上面板５との間が通気可能になることはいうまでもない。
【００２３】
通気部材６としては、上記のものの外に、ポリプロピレン等のプラスチック製プレートをエンボス加工して、その表面に多数の円錐形状のコーン１２ａを密に立設して成るコーンプレート１２を設け、このコーンプレート１２を１枚又は複数枚積層して構成したもの（図６（Ｂ））、あるいは、連続的にループ１２ｂを形成した硬質プラスチック製線材を多数本絡み合わせて平板状にしたものを用いることもできる（図７）。この場合、好ましくは、ループ１２ｂを圧潰してなる支持層１２ｃを上面及び／又は下面に溶着または接着する。
【００２４】
好ましくは、通気部材６の底面（通例、その端部）に、防水用パッキン１３が定着される。防水用パッキン１３は、設置時に瓦１５の上面に当接して適宜圧縮され、その状態を維持して、瓦１５に沿って吹き上げられてくる雨雪等を遮止する役目を果たす（図２参照）。
【００２５】
図１に戻り、棟桟木４は受け金物１６で受け、野地板２０を介して垂木１９に固定され、棟桟木４の下に排気筒１８が配置される。垂木１９、１９は棟木１７上において突合わせ固定されるが、垂木１９、１９上に固定される野地板２０、２０は、上端同士が離隔されてそこに棟開口２１が形成され、排気筒１８はこの棟開口２１を覆うように配置される。
【００２６】
図８及び図９は、排気筒１８の構成例を示すもので、その排気筒１８は、垂直壁２３と垂直壁２３の下端が屋根勾配に沿った角度に延長された傾斜壁２４とから成る筒壁構成板２５を一対設け、この一対の筒壁構成板２５、２５を、その垂直壁２３、２３間に複数のスペーサ２６を適宜間隔置きに挟み込んで対置し、その上に断面コ字状の蓋カバー２７を被せて構成されている。スペーサ２６は、垂直壁２３、２３の両端部にのみ配置することとしてもよい。
【００２７】
各スペーサ２６の高さは垂直壁２３よりも高くなるように設定され、蓋カバー２７は垂直壁２３ではなく、スペーサ２６の上面に当接するようにされる。かくして各スペーサ２６、２６間の上部には、外部に排気するための通気スペース２８が生成される。
【００２８】
図１０は排気筒１８の別構成例を示すもので、上記蓋カバー２７と筒壁構成板２５、２５とを一体化したものである。即ち、蓋カバー２７の下端を内方水平方向に延長して形成した水平延長板２９を、垂直壁２３、２３の上端に連結したものであって、その水平延長板２９に、適宜通気スリット３０が形成される。この排気筒１８の場合も、上記と同様にスペーサ２６を配置する。
【００２９】
排気筒１８はこのような構成であるため、小屋裏内の空気は棟開口２１から排気筒１８内、即ち、筒壁構成板２５、２５の垂直壁２３、２３間に入り、その上方の通気スペース２８から抜ける。通気スペース２８から抜けた空気は、通気装置２の下の空間部へと流出し、傾斜面１１ａの通気窓１１ｂから通気ユニット７内に入った後、通気部材６を抜けて大気中に排出される（図２参照）。
【００３０】
３２は通気瓦桟で、一般の瓦桟と同様に野地板２０上に固定されて瓦１５を受けるが、通気瓦桟３２は、その幅方向（棟と軒先方向）に抜ける通気孔３２ａを有していて、施工後において、その屋根面に沿った棟と軒先方向における通気を可能にする（図１１）。この通気瓦桟３２は、通気部材６の如き構成のものとすることができる。なお、図示してないが、下端の鼻桟についても、同様の通気瓦桟とする。
【００３１】
図１２は、通気瓦桟３２の他の構成例を示すもので、（Ａ）に示すものは、木ずり３９を縦桟にし、その上に直交状態に適宜瓦桟４０を配したものである。（Ｂ）に示すものは、例えば９１０ｍｍの長さの適宜瓦桟４０を、５０ｍｍの間隔を置いて配設したものである。また、（Ｃ）に示すものは、短尺の適宜瓦桟４０を多数、適宜間隔を保持して紐４１等で連結して成るもので、この場合は、施工時において瓦桟４０間の間隔設定の手間が省ける。要するに通気瓦桟３２は、本来の瓦桟としての機能を果たすと共に、通気を可能にするもので、その他にも種々の形態が考えられる。
【００３２】
太陽熱によって温められている瓦１５と野地板２０との間の掃気空間３１内の空気は、温度の上昇や風圧により、通気瓦桟３２を通り抜けて棟側に上昇し、排気筒１８を通って排出される小屋裏からの空気と混ざって排出される。
一方、屋根面を伝ってくる雨雪、ゴミ、虫類は、主に排気筒１８により、また、各通気部材６や通気瓦桟３２によって進入を阻まれるので、それらが小屋裏内に入ることはない。
【００３３】
なお、野地板２０上に遮熱・透湿・防水シート２２が貼られるため、瓦１５と野地板２０との間に水が入り込んでも、特に問題はない。本発明に係る瓦屋根構造においては、その掃気空間３１における掃気が十分になされるため、そこに水が入り込んだとしても、乾きが早い。このように、掃気空間３１において十分な掃気がなされるため、瓦１５、野地板２０、通気瓦桟３２、鼻桟等の周辺部材が早期に乾燥されるので、それら部材の耐久性が向上する。
【００３４】
好ましい実施形態においては、上記太陽熱によって温められた瓦１５からの輻射熱を遮止するために、野地板２０上に、遮熱・透湿・防水シート２２が敷設される。この遮熱・透湿・防水シート２２は、例えば、織物、編物、不織布等のシート状多孔質基材に、連続気孔を有する微多孔層が設けられた防水シート（例えば、特開２００３−２２１７９２号公報に記載のもの）に、輻射熱を反射させる目的で、微多孔層にアルミ等の輻射熱を反射させ得る素材を配合したもの等である。
【００３５】
このように遮熱・透湿・防水シート２２を敷設することにより、瓦１５と野地板２０間の掃気空間３１において、日射による輻射熱が小屋裏内に伝達されることが極力防止され、また、その透湿性のために、野地板２０が過度に湿気を含むことがなく、過度の湿気を含むことによってその耐久性が劣化することが防止される。
【００３６】
寄せ棟屋根のように、長い棟開口を設けることができないような場合には、野地板２０に１又は複数の開口３４を設け、その開口３４を覆うように補助換気装置３５を設置することが好ましい（図１参照）。
【００３７】
図１３は補助換気装置３５の構成例を示すもので、それは、棟側側面が開口されたカバー３６内に、上述した如き通気部材６を、その通気方向面（通気開口面）を上記棟側開口側面に向けて設置したものである。通気部材６は、開口３４からずらして、開口３４上に通気空間３７を設ける。なお、図１３では端面が開放されているが、実際は閉塞される。
【００３８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３９】
【図１】本発明に係る小屋裏換気装置を用いた瓦屋根構造の構成図である。
【図２】本発明に係る小屋裏換気装置の通気装置部分の構成例を示す拡大図である。
【図３】本発明に係る小屋裏換気装置における通気装置の通気材の構成例を示す側面図である。
【図４】本発明に係る小屋裏換気装置における通気装置の通気材の構成例を示す背面図である。
【図５】本発明に係る小屋裏換気装置における通気装置の通気材の構成例を示す正面図である。
【図６】本発明に係る小屋裏換気装置における通気部材の構成例を示す図である。
【図７】本発明に係る小屋裏換気装置における通気部材の他の構成例を示す図である。
【図８】本発明に係る小屋裏換気装置における排気筒の構成例を示す分解斜視図である。
【図９】本発明に係る小屋裏換気装置における排気筒の構成例を示す側面図である。
【図１０】本発明に係る小屋裏換気装置における排気筒の他の構成例を示す側面図である。
【図１１】本発明に係る瓦屋根構造において用いられる通気瓦桟の構成例を示す斜視図である。
【図１２】本発明に係る瓦屋根構造において用いられる通気瓦桟の他の構成例を示す斜視図である。
【図１３】本発明に係る瓦屋根構造において用いられる補助換気装置の構成例を示す斜視図である。
【符号の説明】
【００４０】
１    棟瓦
２    通気装置
３    スクリュー釘
４    棟桟木
５    上面板
６    通気部材
６ａ  傾斜面
７    通気ユニット
８    半切加工部
９    通気路
１０    プラスチックプレート
１１    下面板
１１ａ  傾斜面
１１ｂ  通気窓
１１ｃ  水切り
１２    コーンプレート
１２ａ  コーン
１２ｂ  ループ
１２ｃ  支持層
１３    防水用パッキン
１５    瓦
１６    金物
１７    棟木
１８    排気筒
１９    垂木
２０    野地板
２１    棟開口
２２    遮熱・透湿・防水シート
２３    垂直壁
２４    傾斜壁
２５    筒壁構成板
２６    スペーサ
２７    蓋カバー
２８    通気スペース
２９    水平延長板
３０    通気スリット
３１    掃気空間
３２    通気瓦桟
３２ａ  通気孔
３４    開口
３５    補助換気装置
３６    カバー
３７    通気空間
３９    木ずり
【図１】
2006348525.tif 000003
【図２】
2006348525.tif 000004
【図３】
2006348525.tif 000005
【図４】
2006348525.tif 000006
【図５】
2006348525.tif 000007
【図６】
2006348525.tif 000008
【図７】
2006348525.tif 000009
【図８】
2006348525.tif 000010
【図９】
2006348525.tif 000011
【図１０】
2006348525.tif 000012
【図１１】
2006348525.tif 000013
【図１２】
2006348525.tif 000014
【図１３】
2006348525.tif 000015